(57)【要約】【課題】ガス消費者に対してガスの利用状況を分かり易く表示することができるガス利用情報表示装置を提供する。【解決手段】予め器具毎に瞬時流量を外部メモリ１４に登録し、ガスメータ６で測定した瞬時流量を登録した瞬時流量とを比較して一致した器具に対してその器具の利用量としてマイコン１１で積算し、ユーザから要求があったときは、器具毎の積算値、積算値から算出した利用料金、利用状況から判断したおすすめ料金プランや現在の料金プランで利用料金を安くするための器具の利用方法を表示部１２に表示する。【選択図】図２
2008185484.tif 000002
【特許請求の範囲】
【請求項１】
ガスメータに接続されて、宅内に配置されるガス利用情報表示装置であって、
前記ガスメータからガスの瞬時流量を定期的に取得する瞬時流量取得手段と、
前記ガスメータに接続される器具情報を登録する登録手段と、
前記器具情報を格納する器具情報格納手段と、
前記器具情報格納手段に格納した器具情報に基づいて器具毎に瞬時流量を積算する積算手段と、
前記積算手段が積算した器具毎の積算値に基づいてガス利用情報を出力する利用情報出力手段と、
前記利用情報出力手段が出力した前記ガス利用情報を表示する表示手段と、
を備えたことを特徴とするガス利用情報表示装置。
【請求項２】
接続された器具毎に瞬時流量を積算するガスメータに接続されて、宅内に配置されるガス利用情報表示装置であって、
前記ガスメータに接続される器具情報を登録する登録手段と、
前記器具情報を格納する器具情報格納手段と、
前記ガスメータから器具毎の瞬時流量の積算値を取得する積算値取得手段と、
前記器具情報格納手段に格納した器具情報および前記ガスメータから取得した器具毎の瞬時流量の積算値に基づいてガス利用情報を出力する利用情報出力手段と、
前記利用情報出力手段が出力した前記ガス利用情報を表示する表示手段と、
を備えたことを特徴とするガス利用情報表示装置。
【請求項３】
前記ガス利用情報が、前記積算手段が積算した器具毎の積算値または前記積算値取得手段が取得した器具毎の瞬時流量の積算値であることを特徴とする請求項１または２に記載のガス利用情報表示装置。
【請求項４】
前記利用情報出力手段が、前記積算手段が積算した器具毎の積算値または前記積算値取得手段が取得した器具毎の瞬時流量の積算値から器具毎の利用料金を算出し、前記表示手段に、前記利用料金を表示することを特徴とする請求項１乃至３のうちいずれか一項に記載のガス利用情報表示装置。
【請求項５】
前記利用情報出力手段が、複数の料金プランのうち現在よりも利用料金を安くすることができる料金プランを選択し、前記表示手段に、選択した料金プランを表示することを特徴とする請求項１乃至４のうちいずれか一項に記載のガス利用情報表示装置。
【請求項６】
前記利用情報出力手段が、現在の利用料金よりも安くするための前記器具の利用方法を出力することを特徴とする請求項１乃至５のうちいずれか一項に記載のガス利用情報表示装置。
【請求項７】
前記ガスメータに接続される器具として燃料電池が接続された場合に、
前記利用情報出力手段が、前記燃料電池で発電された電力量と、前記電力量によって電力会社から供給される電力の料金の削減額を出力することを特徴とする請求項１乃至６のうちいずれか一項に記載のガス利用情報表示装置。
【発明の詳細な説明】
【技術分野】
【０００１】
本発明は、ガスメータからガスの流量を取得して各種情報を表示するガス利用情報表示装置に関する。
【背景技術】
【０００２】
従来、ガスの供給者は所定期間（例えば１ヶ月）毎に検針等によって得られたガス消費者のガス消費量に応じた利用料金を計算し、当該利用料金をガス消費者に請求している。そして、ガス消費量の拡大やガス器具の拡販のために、特別なガス料金体系を適用することがなされている。例えば、特定のガス器具のガス使用料金を割安にするなどの方法がとられている。
【０００３】
特別なガス料金体系に対応するためのガスメータとして、例えば特許文献１に記載のガスメータが提案されている。特許文献１に記載のガスメータは、複数の流量区分毎にガス消費量を積算している。そして、ガス供給者は流量区分毎に割引率や割引料金などを設定することで消費者に分かり易い様々な割引料金サービスを提案できる。
【特許文献１】特開２００５−１０００２号公報
【発明の開示】
【発明が解決しようとする課題】
【０００４】
ガス消費者自身が、利用状況に応じた割引料金サービスや複数の料金プランを選択するなどの参考のために、特許文献１に記載のガスメータで積算したガス消費量を表示する装置を宅内などに設置されることがあるが、流量区分毎の表示では具体的にどのガス器具で利用したのかがユーザには不明であり、ガス消費者自身が適切な料金プラン等を選択することは困難であった。
【０００５】
そこで、本発明は、上記のような問題点に着目し、ガス消費者に対してガスの利用状況を分かり易く表示することができるガス利用情報表示装置を提供することを課題とする。
【課題を解決するための手段】
【０００６】
上記課題を解決するためになされた請求項１記載の発明は、ガスメータに接続されて、宅内に配置されるガス利用情報表示装置であって、ガスメータから瞬時流量を定期的に取得する瞬時流量取得手段と、前記ガスメータに接続される器具情報を登録する登録手段と、前記器具情報を格納する器具情報格納手段と、前記器具情報格納手段に格納した器具情報に基づいて器具毎に瞬時流量を積算する積算手段と、前記積算手段が積算した器具毎の積算値に基づいてガス利用情報を出力する利用情報出力手段と、前記利用情報出力手段が出力した前記ガス利用情報を表示する表示手段と、を備えたことを特徴としている。
【０００７】
請求項２記載の発明は、接続された器具毎に瞬時流量を積算するガスメータに接続されて、宅内に配置されるガス利用情報表示装置であって、前記ガスメータに接続される器具情報を登録する登録手段と、前記器具情報を格納する器具情報格納手段と、前記ガスメータから器具毎の瞬時流量の積算値を取得する積算値取得手段と、前記器具情報格納手段に格納した器具情報および前記ガスメータから取得した器具毎の瞬時流量の積算値に基づいてガス利用情報を出力する利用情報出力手段と、前記利用情報出力手段が出力した前記ガス利用情報を表示する表示手段と、を備えたことを特徴としている。
【０００８】
請求項３に記載の発明は、前記ガス利用情報が、前記積算手段が積算した器具毎の積算値または前記積算値取得手段が取得した器具毎の瞬時流量の積算値であることを特徴としている。
【０００９】
請求項４に記載の発明は、前記利用情報出力手段が、前記積算手段が積算した器具毎の積算値または前記積算値取得手段が取得した器具毎の瞬時流量の積算値から器具毎の利用料金を算出し、前記表示手段に、前記利用料金を表示することを特徴としている。
【００１０】
請求項５に記載の発明は、前記利用情報出力手段が、複数の料金プランのうち現在よりも利用料金を安くすることができる料金プランを選択し、前記表示手段に、選択した料金プランを表示することを特徴としている。
【００１１】
請求項６に記載の発明は、前記利用情報出力手段が、現在の利用料金よりも安くするための前記器具の利用方法を出力することを特徴ととしている。
【００１２】
請求項７に記載の発明は、前記ガスメータに接続される器具として燃料電池が接続された場合に、前記利用情報出力手段が、前記燃料電池で発電された電力量と、前記電力量によって電力会社から供給される電力の料金の削減額を出力することを特徴としている。
【発明の効果】
【００１３】
以上説明したように請求項１記載の発明によれば、瞬時流量取得手段が取得した瞬時流量を登録手段で登録した器具情報に基づいて器具毎に瞬時流量を積算し、その積算値に基づいてガス利用情報が表示手段に表示されるので、器具毎のガスの利用状況を表示することができるために、ガス消費者に対して分かり易い表示を行うことができる。
【００１４】
請求項２記載の発明によれば、ガスメータが器具毎に取得した瞬時流量の積算値および器具情報格納手段に格納した器具情報に基づいて、ガス利用情報が表示手段に表示されるので、器具毎のガスの利用状況を表示することができるために、ガス消費者に対して分かり易い表示を行うことができる。
【００１５】
請求項３記載の発明によれば、ガス利用情報として積算値すなわちガスの利用量を器具毎に表示することができるのでガス消費者に対して分かり易い表示を行うことができる。
【００１６】
請求項４記載の発明によれば、積算値から利用料金を算出し、その利用料金を表示することができるのでガス消費者に対して分かり易い表示を行うことができる。
【００１７】
請求項５記載の発明によれば、現在よりも利用料金を安くすることができる料金プランを表示することができるので、ガス消費者に対して有益な情報を表示することができ、ガスの利用促進を図ることができる。
【００１８】
請求項６記載の発明によれば、現在の利用料金よりも利用料金を安くするための前記器具の利用方法を表示することができるので、ガス消費者に対して有益な情報を表示することができ、ガスの利用促進を図ることができる。
【００１９】
請求項７記載の発明によれば、燃料電池が接続された場合に、その燃料電池で発電された電力量と、その発電された電力量によって電力会社から供給される電力の料金の削減額を表示することができるので、その燃料電池を用いたことで、電力会社から供給される電力がどの程度削減できたかを知ることができ、ユーザが燃料電池を有効に活用することができる。
【発明を実施するための最良の形態】
【００２０】
（第１実施形態）
以下、本発明の第１の実施形態を図面に基づいて説明する。図１はガス供給設備の一例を示す構成図である。図２は、本発明の一実施形態におけるガス利用情報表示装置を示すブロック図である。図３は、図２に示したガス利用情報表示装置におけるガス器具の登録動作を示したフローチャートである。図４は、図２に示したガス利用情報表示装置における積算および表示動作を示したフローチャートの一の部分である。図５は、図２に示したガス利用情報表示装置における積算および表示動作を示したフローチャートの他の部分である。
【００２１】
図１に示すガス供給設備において、２本のガス容器１ａ及び１ｂからの高圧のガスは、高圧ホース２ａ及び２ｂを介して、圧力調整器３に供給される。この圧力調整器３によってガス容器１ａ及び１ｂからの高圧のガスは、所定の圧力のガスに調整される。
【００２２】
調整されたガスは、途中に閉止コック４を有するガス管路５を介してガスメータ６に供給された後、さらにガス管路７、該ガス管路７から分岐した分岐ガス管路８を介して、主に消費側の室内等に設けられたガス器具９に供給されている。このガス器具９としては、例えば、給湯器９ａ、ガスコンロ９ｂ、ガスヒータ９ｃ、ガス床暖房９ｄなどがある。
【００２３】
ガスメータ６は、ＣＰＵを有し予め定められた制御プログラムによってガス流路を流れるガスの瞬時流量の測定や、異常時にガス器具９へのガス供給の遮断などを行うことができる電子式ガスメータである。
【００２４】
そして、ガスメータ６は、宅内に配置された本発明の一実施形態にかかるガス利用情報表示装置１０と有線または無線などで接続され、ガスメータ６で測定された瞬時流量をガス利用情報表示装置１０に出力する。
【００２５】
本発明の一実施形態にかかるガス利用情報表示装置１０は図２に示すようにマイコン１１と、表示部１２と、操作部１３と、外部メモリ１４と、通信部１５とを備えている。
【００２６】
積算手段、利用情報出力手段としてのマイコン１１は、ＣＰＵ１１ａ、ＲＯＭ１１ｂおよびＲＡＭ１１ｃを内蔵しＲＯＭ１１ｂに予め記録された制御プログラムをＣＰＵ１１ａが実行することによって、ガス利用情報表示装置１０の全体制御や、本実施例においては特に瞬時流量のガス器具毎の積算および表示部１２へ表示する積算値（利用量）、利用料金、おすすめ料金プランおよびガス器具の利用方法などの各種情報の生成を行っている。
【００２７】
表示手段としての表示部１２は、ＬＣＤ（Liquid Crystal Display）などで構成され、マイコン１１が出力した各種情報を表示する。
【００２８】
操作部１３は、ユーザが、ガス利用情報表示装置１０の設定や、各種情報の表示要求および積算値のリセットなどを行う際に使用するボタンなどを有している。操作部１３は、表示部１２をタッチパネルとすることで表示部１２と一体に設けても良い。
【００２９】
器具情報格納手段としての外部メモリ１４は、不揮発性のメモリ、例えばフラッシュメモリなどで構成され、登録されたガス器具の情報を格納する。
【００３０】
瞬時流量取得手段、登録手段としての通信部１５は、有線または無線などで接続されたガスメータ６と通信を行い、ガス器具登録時の瞬時流量や通常動作時の瞬時流量をマイコン１１の指示によりガスメータ６から取得しマイコン１１に出力する。
【００３１】
次に、上述した構成のガス利用情報表示装置１０において、積算値（利用量）、利用料金、おすすめ料金プランおよび器具の利用方法などの各種情報を表示するために、ガスメータ６に接続されている器具を予めガス利用情報表示装置１０に登録するためのフローチャートを図３に示す。本フローチャートはマイコン１１のＲＯＭ１１ｂに記録されＣＰＵ１１ａで実行される。
【００３２】
まず、ステップＳ２１において、登録するガス器具のメーカ名を選択してステップＳ２２に進む。メーカ名の選択方法は、例えば操作部１３を操作してユーザ等が予めガス利用情報表示装置１０内に登録されているメーカ名を選択する方式や、製品に添付されたバーコードやＩＣタグなどを読み取ることにより入力する方式でもよい。
【００３３】
次に、ステップＳ２２において、登録するガス器具の型式名を選択してステップＳ２３に進む。型式名の選択方法は、メーカ名と同様に例えば操作部１３を操作してユーザ等が予めガス利用情報表示装置１０内に登録されている型式名を選択する方式や、製品に添付されたバーコードやＩＣタグなどを読み取ることにより入力する方式でもよい。
【００３４】
次に、ステップＳ２３において、操作部１３に設けられた登録ボタンを操作してステップＳ２４に進む。この際に当該ガス器具の瞬時流量をガスメータ６で計測し、メーカ名、型式名と関連付けて外部メモリ１４に格納する。なお、瞬時流量は予めバーコードやＩＣタグなどに含ませておきメーカ名、型式名の読み取り時に同時に読み取って外部メモリ１４に格納しても良い。
【００３５】
次に、ステップＳ２４において、ガス器具が全て登録完了したか否かを判断し、登録完了した場合（ＹＥＳの場合）は登録完了として本フローチャートを終了し、登録完了していない場合（ＮＯの場合）は、ステップＳ２１に戻る。本ステップでは、例えば表示部１２に全てのガス器具の登録が完了したかをユーザ等に問い、登録完了に相当する操作を行った場合はフローチャートを終了し、登録完了していない場合はステップＳ２１に戻って未登録のガス器具の登録を促す。
【００３６】
次に、上述した構成のガス利用情報表示装置１０において、ガス器具毎の瞬時流量の積算と各種情報の表示について図３および図４に示すフローチャートを参照して説明する。本フローチャートはマイコン１１のＲＯＭ１１ｂに記録されＣＰＵ１１ａで実行される。
【００３７】
まず、ステップＳ１において、ガスメータ６から瞬時流量を読み出すように通信部１５に指示しステップＳ２に進む。通信部１５は指示に従ってガスメータ６から瞬時流量を取得しマイコン１１に出力する。
【００３８】
次に、ステップＳ２において、ステップＳ１で読み出した瞬時流量が登録したガス器具Ａ（例えば、給湯器９ａ）か否かを判断して、ガス器具Ａであった場合（ＹＥＳの場合）はステップＳ３に進み、ガス器具Ａでない場合（ＮＯの場合）はステップＳ４に進む。ガス器具Ａか否かの判断はステップＳ１で読み出した瞬時流量と、ガス器具設置の際に登録し外部メモリ１４に格納したガス器具Ａの瞬時流量が一致するか否かで判断する。
【００３９】
次に、ステップＳ３において、ステップＳ１で読み出された瞬時流量はガス器具Ａの使用によるものであると判明したので例えばマイコン１１のＲＡＭ１１Ｃに記憶するガス器具Ａの瞬時流量の積算値に加算してステップＳ４に進む。
【００４０】
次に、ステップＳ４において、ステップＳ１で読み出した瞬時流量が登録したガス器具Ｂ（例えば、ガスコンロ９ｂ）か否かを判断して、ガス器具Ｂであった場合（ＹＥＳの場合）はステップＳ５に進み、ガス器具Ｂでない場合（ＮＯの場合）はステップＳ６に進む。ガス器具Ｂか否かの判断はステップＳ１で読み出した瞬時流量と、ガス器具設置の際に登録し外部メモリ１４に格納したガス器具Ｂの瞬時流量が一致するか否かで判断する。
【００４１】
次に、ステップＳ５において、ステップＳ１で読み出された瞬時流量はガス器具Ｂの使用によるものであると判明したので例えばマイコン１１のＲＡＭ１１Ｃに記憶するガス器具Ｂの瞬時流量の積算値に加算してステップＳ６に進む。
【００４２】
次に、ステップＳ６において、ステップＳ１で読み出した瞬時流量が登録したガス器具Ｃ（例えば、ガスヒータ９ｃ）か否かを判断して、ガス器具Ｃであった場合（ＹＥＳの場合）はステップＳ７に進み、ガス器具Ｃでない場合（ＮＯの場合）はステップＳ８に進む。ガス器具Ｃか否かの判断はステップＳ１で読み出した瞬時流量と、ガス器具設置の際に登録し外部メモリ１４に格納したガス器具Ｃの瞬時流量が一致するか否かで判断する。
【００４３】
次に、ステップＳ７において、ステップＳ１で読み出された瞬時流量はガス器具Ｃの使用によるものであると判明したので例えばマイコン１１のＲＡＭ１１Ｃに記憶するガス器具Ｃの瞬時流量の積算値に加算してステップＳ８に進む。
【００４４】
次に、ステップＳ８において、ステップＳ１で読み出した瞬時流量が登録したガス器具Ｄ（例えば、ガス床暖房９ｄ）か否かを判断して、ガス器具Ｄであった場合（ＹＥＳの場合）はステップＳ９に進み、ガス器具Ｄでない場合（ＮＯの場合）はステップＳ１０に進む。ガス器具Ｄか否かの判断はステップＳ１で読み出した瞬時流量と、ガス器具設置の際に登録し外部メモリ１４に格納したガス器具Ｄの瞬時流量が一致するか否かで判断する。
【００４５】
次に、ステップＳ９において、ステップＳ１で読み出された瞬時流量はガス器具Ｄの使用によるものであると判明したので例えばマイコン１１のＲＡＭ１１Ｃに記憶するガス器具Ｄの瞬時流量の積算値に加算してステップＳ１０に進む。
【００４６】
次に、ステップＳ１０において、ユーザが操作部１３を操作して各種情報の表示を要求しているか否かを判断して、各種情報の表示要求がある場合はステップＳ１１に進み、表示要求が無い場合はステップＳ１に戻る。
【００４７】
次に、ステップＳ１１において、ガス利用情報としての各種情報を表示部１２に表示させステップＳ１２に進む。各種情報の内容としてはガス器具Ａの積算値、利用料金、利用状況から判断したおすすめ料金プランおよび現在の料金プランで利用料金を安くするためのガス器具の利用方法（参考利用方法）等である。利用料金は、積算値を基に予めＲＯＭ１１ｂなどに設定してある利用料金の料金プラン毎の算出条件からガス消費者が現在契約している料金プランに合った算出条件を用いて算出して表示部１２に出力する。利用状況から判断したおすすめ料金プランは、積算値を基に各料金プランの算出条件から利用料金を算出し現在の料金プランよりも安くなるプランがある場合はその料金プランを表示部１２に出力する。現在の料金プランで利用料金を安くするためのガス器具の利用方法は、例えば予め各料金プラン毎に当該器具について利用料金を安くする利用方法を１乃至複数ＲＯＭ１１ｂまたは外部メモリ１４などに設定してそれを料金プランに応じて表示部１２に出力する。具体的には、現在の料金プランが長くガスを使用していると割引が発生する場合は、「お湯を沸かすときは火力を弱くして下さい」や「床暖房はこまめにオン／オフしないで下さい」などのメッセージを表示部１２に出力する。表示部１２は、マイコン１１から出力された各種情報を表示する。
【００４８】
次に、ステップＳ１２において、ガス利用情報としての各種情報を表示部１２に表示させステップＳ１３に進む。各種情報の内容としてはガス器具Ａと同様にガス器具Ｂの積算値、利用料金、利用状況から判断したおすすめ料金プランおよび現在の料金プランで利用料金を安くするためのガス器具の利用方法（参考利用方法）等である。
【００４９】
次に、ステップＳ１３において、ガス利用情報としての各種情報を表示部１２に表示させステップＳ１４に進む。各種情報の内容としてはガス器具Ａと同様にガス器具Ｃの積算値、利用料金、利用状況から判断したおすすめ料金プランおよび現在の料金プランで利用料金を安くするためのガス器具の利用方法（参考利用方法）等である。
【００５０】
次に、ステップＳ１４において、ガス利用情報としての各種情報を表示部１２に表示させステップＳ１に戻る。各種情報の内容としてはガス器具Ａと同様にガス器具Ｄの積算値、利用料金、利用状況から判断したおすすめ料金プランおよび現在の料金プランで利用料金を安くするためのガス器具の利用方法（参考利用方法）等である。
【００５１】
本実施形態によれば、予めガス器具毎に瞬時流量を外部メモリ１４に登録し、ガスメータ６で測定した瞬時流量を登録した瞬時流量とを比較して一致したガス器具に対してそのガス器具の利用量としてマイコン１１で積算し、ユーザから要求があったときは、ガス器具毎の積算値、積算値から算出した利用料金を表示部１２に表示するため、ユーザ（ガス消費者）に対して分かり易いガス利用情報を表示することができる。
【００５２】
また、積算値に基づいて利用状況から判断したおすすめ料金プランや現在の料金プランで利用料金を安くするためのガス器具の利用方法を表示部１２に表示するために、ユーザがより安い料金でガスを利用するための手助けをすることができるので、ユーザにとって有益な情報を表示することができ、ガスの利用促進を図ることができる。
【００５３】
なお、上述した実施形態ではガス利用情報表示装置１０のマイコン１１でガスメータ６から取得した瞬時流量をガス器具毎に積算していたが、ガスメータ６でガス器具毎に瞬時流量を積算しても良い。そして、ユーザからの要求があった場合にガスメータ６から積算値を取得し各種情報を表示部１２に表示しても良い。その場合、ガス利用情報表示装置１０における器具の登録は、上述した実施形態と同様に操作部１３から直接入力またはバーコードやＩＣタグなどによりメーカ名、型式名、瞬時流量を登録し、登録されたメーカ名と型式名は外部メモリ１４に格納するとともに、メーカ名、型式名、瞬時流量をガスメータ６へ送信し、ガスメータ６内で保存してその後測定した瞬時流量のマッチングによりガス器具を判別しガス器具毎の積算を行う。そして、ユーザからの要求があった場合は、ガスメータ６が積算値とその積算値に対応するガス器具の情報（メーカ名、型式名）をガス利用情報表示装置１０に送信し、ガス利用情報表示装置１０では、そのガス器具の情報に応じて各種情報を表示する。
【００５４】
（実施形態２）
次に、本発明の第２の実施形態にかかるガス利用情報表示装置１０を図６を参照して説明する。なお、前述した第１の実施形態と同一部分には、同一符号を付して説明を省略する。
【００５５】
本実施形態は、図６に示すようにガス器具９として燃料電池９ｅが接続される点が第１の実施形態と異なる。
【００５６】
燃料電池９ｅは、都市ガスまたはプロパンガスなどを改質するための改質装置を内蔵し、取り出した水素を燃料電池９ｅ内で酸素と電気化学反応を起こすことによって電力を発電する装置であり、発電した電力は宅内へ供給される。
【００５７】
また、燃料電池９ｅは、発電時の排熱を利用して温水を作り、給湯器９ａやガス床暖房９ｄなどの代わりに温水を供給するコージェネレーションシステムとしてもよい。
【００５８】
本実施例において、ガス利用情報表示装置１０のブロック構成やガス器具毎の積算動作は基本的に同一であるが（積算機能はガス利用情報表示装置１０にあってもよいしガスメータ６にあってもよい）、ガス器具として燃料電池９ｅの各種情報を表示する場合に表示内容が他のガス器具９と異なる。
【００５９】
具体的には、ガス器具として燃料電池９ｅの表示の場合は、燃料電池９ｅで使用されたガスの積算値と、ガスの利用料金に加えて、燃料電池９ｅが発電した電力量と、発電した電力量によって電力会社から供給されている電力の料金がいくら削減できたかを表示する。燃料電池９ｅが発電した電力量は、ガス利用情報表示装置１０の外部メモリ１４などに予めガス使用量（積算値）から電力量への換算値あるいは換算式などを設定しておき、それを用いて積算値を電力量に換算し、その電力量を表示部１２へ出力する。発電した電力量によって電力会社から供給されている電力の料金がいくら削減できたかは、ガス利用情報表示装置１０の外部メモリ１４などに予め電力料金の単価を設定しておき、前記燃料電池９ｅが発電した電力量から設定した単価に基づいて電力料金を算出し、その金額を削減した電力料金として表示部１２へ出力する。
【００６０】
本実施形態によれば、ガス器具として燃料電池９ｅが接続された場合に、燃料電池９ｅで使用されたガスの積算値と、ガスの利用料金に加えて、燃料電池９ｅが発電した電力量と、発電した電力量によって電力会社から供給されている電力の料金がいくら削減できたかを表示できるので、ユーザが燃料電池９ｅを有効活用することができる。
【００６１】
なお、上述した実施形態では各種情報を各器具毎に順に表示していたが、それに限らず一度に複数の器具について表示しても良いし、ユーザが表示する器具を選択するようにしても良い。
【００６２】
また、前述した実施形態は本発明の代表的な形態を示したに過ぎず、本発明は、実施形態に限定されるものではない。すなわち、本発明の骨子を逸脱しない範囲で種々変形して実施することができる。
【図面の簡単な説明】
【００６３】
【図１】本発明の第１の実施形態におけるガス供給設備の一例を示す構成図である。
【図２】本発明の実施形態におけるガス利用情報表示装置を示すブロック図である。
【図３】図２に示したガス利用情報表示装置におけるガス器具の登録動作を示したフローチャートである。
【図４】図２に示したガス利用情報表示装置における積算および表示動作を示したフローチャートの一の部分である。
【図５】図２に示したガス利用情報表示装置における積算および表示動作を示したフローチャートの他の部分である。
【図６】本発明の第２の実施形態におけるガス供給設備の一例を示す構成図である。
【符号の説明】
【００６４】
６            ガスメータ
１０          ガス利用情報表示装置
１１          マイコン（積算手段、利用情報出力手段）
１２          表示部（表示手段）
１３          操作部（登録手段）
１４          外部メモリ（器具情報格納手段）
１５          通信部（瞬時流量取得手段、積算値取得手段、登録手段）
【図１】
2008185484.tif 000003
【図２】
2008185484.tif 000004
【図３】
2008185484.tif 000005
【図４】
2008185484.tif 000006
【図５】
2008185484.tif 000007
【図６】
2008185484.tif 000008